(57)【要約】      （修正有）【課題】表示部と磁気ストライプ部が重なるような配置であっても、磁気ストライプ部の平滑性を損なうことなく、かつ、大きな表示エリアを有する表示付きカードを提供する。【解決手段】表示部の中の封止部２２が磁気ストライプ部２５全体を覆う形状とすることにより、表示部と磁気部を重ね合わせた際、磁気部の表面に凹凸が生じない構造とする。磁気ストライプ部にディスプレイ封止部による凹凸が生じることがなくなり、表示部品が磁気ストライプと重なるよう配置できるため、表示の大サイズ化が可能となる。【選択図】図２
0003147036.tif 000002
【実用新案登録請求の範囲】
【請求項１】
可視情報を画面に映し出す表示部と磁気ストライプ部とを有する表示付きカードであって、
前記表示部の封止部の外形が、前記磁気ストライプ部の全領域を含む形状にすることによって、前記封止部により発生する磁気ストライプの凹凸を防ぐことを特徴とする表示付きカード。
【考案の詳細な説明】
【技術分野】
【０００１】
本考案は、磁気ストライプ部を有する表示付きカードにかかわり、磁気ストライプ部の特性に影響を与えず表示部の有効面積を拡大するカード構成に関する。
【背景技術】
【０００２】
ＩＣチップを搭載し外部とデータ通信を行なうＩＣカードは既に広く普及しており、接触式ＩＣカードはキャッシュカードやクレジットカードとして、また、非接触式ＩＣカードは交通用途や施設等へのアクセスコントロール用など多方面に用いられている。
これはＩＣならではの、高速性、大データ量、高セキュリティ、などの高度な機能によるもので、このようなＩＣカードの利便性を活かす用途展開はますます拡大する動きにある。
【０００３】
また、最近は、ＩＣカードの利便性をさらに向上させるべく、ＩＣカード内に格納される情報を可視化するための情報表示手段を搭載する表示付きカードなども試みられている。これは、薄く折り曲げに耐える表示部や、これを制御するＩＣチップ等で構成され、表示部は電子的に書き換えが可能であり、かつ、メモリ性を持ち、電力供給なしで表示を維持する機能を有する。
【０００４】
このように、ＩＣカードは従来の磁気方式やバーコード方式にない高度な機能により、用途展開も拡大の一途であるが、一方で、従来の磁気方式によるシステムでも利用可能となるようＩＣと磁気ストライプの両方を搭載したＩＣカードも多い。
【０００５】
ところが、表示機能と磁気ストライプを組み合せようとした場合、表示用部品が磁気ストライプ部の平滑性を損うことのないよう、図１（Ｂ）に示すように、表示用部品を磁気ストライプ部に重ならぬよう配置する必要があった。このため表示用部品の大きさは制約を受け、実際のディスプレイ有効エリアはさらに小さい面積しか確保できなかった。
【０００６】
磁気ストライプ部の表面平滑性はＪＩＳ  Ｘ  ６３０２に「断面形状の垂直偏差」、「高さの垂直変位量」、「表面粗さ」が規定されるように表面の凹凸に関して厳格であり、例えば、非接触ＩＣカードのアンテナなども磁気ストライプ部を避けて配置する場合が多い。
【０００７】
これに対し、非接触ＩＣカードのアンテナを敢えて磁気ストライプ部まで延ばした例として、本願と同一出願人になる特開２００３−１３２３２９では、アンテナによる段差が磁気ストライプのデータ領域に重ならないようなアンテナ形状とすることにより磁気部の凹凸を回避しようとしている。しかし、磁気ストライプ部の長さに比べ寸法の小さな表示部品に同様の方法を適用するのは困難である。
【特許文献１】特開２００３−１３２３２９号公報
【考案の開示】
【考案が解決しようとする課題】
【０００８】
そこで本考案では、表示部品が磁気ストライプ部と重なるような配置であっても、磁気ストライプ部の平滑性を損なうことなく、かつ、大きな表示エリアを有するような表示付きカードを提供することを課題とする。
【課題を解決するための手段】
【０００９】
上記課題を解決する本考案の表示付きカードは、可視情報を画面に映し出す表示部と磁気ストライプ部とを有する表示付きカードであって、前記表示部の封止部の外形が、前記磁気ストライプ部の全領域を含む形状にすることによって、前記封止部により発生する磁気ストライプの凹凸を防ぐことを特徴とすることを特徴とする。
これにより、磁気ストライプ部の凹凸を防ぎつつ、大きな表示有効エリアを確保する。
【考案の効果】
【００１０】
本考案の表示付きカードでは、磁気ストライプ部にディスプレイ封止部による凹凸が生じることはなくなり、表示部品が磁気ストライプと重なるよう配置できるため、表示の大サイズ化が可能となる。
【考案を実施するための最良の形態】
【００１１】
以下、本考案の実施形態について図面を参照しながら説明する。
図１は、ＩＣカードのＩＣチップの情報を表示するためのディスプレイパネルを設けた表示付きカードを示したものである。ディスプレイパネルの方式としては、ＬＣＤ、有機ＥＬ、電子ペーパー等の表示技術が利用できる。
図１の（Ａ）は磁気ストライプのないカードを、（Ｂ）は表示部と磁気ストライプを有するカードを表わしている。表示部と磁気ストライプを１枚のカードに設ける場合は、図１（Ｂ）に示すように、表示部１１が磁気ストライプ部１５に重なることのないよう配置する必要がある。これは磁気ストライプ部と表示部が重なることで磁気ストライプ部に凹凸が生じることのないようにするためであり、これにより表示部１１のサイズは（Ａ）の場合の表示部に比べて小さくなることを余儀なくされてきた。また、表示部１１は有効表示エリア１３の外側に、敗駆動回路の配線などの部品を封止したり、表示エリアを気密状態にするための封止部１２を必要とし、さらにカードに加工する際には封止のためのカード封止余白１６を必要とするため、（Ｂ）の場合の有効表示エリアは（Ａ）に比べ比率では一層小さくなり、充分な大きさの表示有効エリアを確保することが困難となる。
【００１２】
図２は、本考案の表示付きカードの様態を示したもので、（ａ）は表示部と磁気ストライプの位置関係を、(ｂ)は表示部のみの形状を表わしている。
本考案の表示部２１は、図２（ｂ）に示すように、磁気ストライプ部２５を全て含むような形状の封止部を持ち、カードに加工された状態では、図２（ａ）に示すように、磁気ストライプ部の直下に表示部２１の封止部２２が敷かれたような位置関係としている。これにより磁気ストライプ部に凹凸が生じることなく、有効表示エリアの大きなカードとすることができる。
【００１３】
なお、カード成型時の位置合わせなど加工適性を考慮して、図２（ａ）に示すように、封止部２２の、磁気ストライプ部２５と重なる部分は、磁気ストライプより一回り大きく設定することが好ましい。
また、本考案のカードでは、封止部以外のエリアに表示駆動用部品や非接触通信機能など他の用途の部品を配置する必要があるため、封止部の形状をＴ字型としている。
【図面の簡単な説明】
【００１４】
【図１】表示付きカードの構成図
【図２】本考案の表示付きカードの構成図
【符号の説明】
【００１５】
１    表示付きカード
１１    表示部
１２    封止部
１３    有効表示エリア
１５    磁気ストライプ部
１６    カード封止余白
２１    本考案による表示部
２２    本考案による封止部
２３    有効表示エリア
２５    磁気ストライプ部
【図１】
0003147036.tif 000003
【図２】
0003147036.tif 000004